(57)【要約】【課題】金額情報を持つ乗車券媒体による改札処理のサービス向上を図ることが可能な改札処理方法を提供すること。【解決手段】乗車券媒体から券情報を読み取り（ＳＴ２１）、読み取られた券情報に基づき改札処理を実行し（ＳＴ２２）、前記乗車券媒体の券情報に含まれる利用可能な金額情報が所定金額以上のとき（ＳＴ２３、ＹＥＳ）この金額情報を第１の通知形式で通知し（ＳＴ２４）、前記金額情報が所定金額未満のとき（ＳＴ２３、ＮＯ）この金額情報を前記第１の通知形式と異なる第２の通知形式で通知する（ＳＴ２５）。【選択図】　　　　　図４
2004126777.tif 000002
【特許請求の範囲】
【請求項１】
乗車券媒体から券情報を読み取る読取手段と、
前記読取手段により読み取られた券情報に基づき改札処理を実行する改札手段と、
前記乗車券媒体の券情報に含まれる利用可能な金額情報が所定金額以上のときこの金額情報を第１の通知形式で通知し、前記金額情報が所定金額未満のときこの金額情報を前記第１の形式と異なる第２の通知形式で通知する通知手段と、
を備えたことを特徴とする自動改札装置。
【請求項２】
乗車券媒体から券情報を読み取る読取手段と、
前記読取手段により読み取られた券情報に含まれる入場記録に基づき運賃を計算し、券情報に含まれる利用可能な金額情報から出場に必要な運賃を受け取り、この運賃の受け取りに対応して前記乗車券媒体に記憶された券情報に含まれる金額情報を更新し、改札を許可する改札手段と、
前記改札手段により更新された金額情報が所定金額以上のときこの金額情報を第１の通知形式で通知し、前記改札手段により更新された金額情報が所定金額未満のときこの金額情報を前記第１の通知形式と異なる第２の通知形式で通知する通知手段と、
を備えたことを特徴とする自動改札装置。
【請求項３】
乗車券媒体から券情報を読み取る読取手段と、
前記読取手段により読み取られた券情報に含まれる定期乗車情報に基づき、第１の改札処理を実行する第１の改札手段と、
前記読取手段により読み取られた券情報に含まれる入場記録に基づき運賃を計算し、券情報に含まれる利用可能な金額情報から出場に必要な運賃を受け取り、この運賃の受け取りに対応して前記乗車券媒体に記憶された券情報に含まれる金額情報を更新し、改札を許可する第２の改札処理を実行する第２の改札手段と、
前記読取手段により読み取られた券情報に含まれる入場記録及び定期乗車情報に基づき不足運賃を計算し、券情報に含まれる利用可能な金額情報から出場に必要な不足運賃を受け取り、この不足運賃の受け取りに対応して前記乗車券媒体に記憶された券情報に含まれる金額情報を更新し、改札を許可する第３の改札処理を実行する第３の改札手段と、
前記乗車券媒体の券情報に含まれる利用可能な金額情報が所定金額以上のときこの金額情報を第１の通知形式で通知し、前記金額情報が所定金額未満のときこの金額情報を前記第１の通知形式と異なる第２の通知形式で通知する通知手段と、
を備えたことを特徴とする自動改札装置。
【請求項４】
乗車券媒体から券情報を読み取る読取手段と、
前記読取手段により読み取られた券情報に含まれる定期乗車情報に基づき、第１の改札処理を実行する第１の改札手段と、
前記読取手段により読み取られた券情報に含まれる入場記録に基づき運賃を計算し、券情報に含まれる利用可能な金額情報から出場に必要な運賃を受け取り、この運賃の受け取りに対応して前記乗車券媒体に記憶された券情報に含まれる金額情報を更新し、改札を許可する第２の改札処理を実行する第２の改札手段と、
前記読取手段により読み取られた券情報に含まれる入場記録及び定期乗車情報に基づき不足運賃を計算し、券情報に含まれる利用可能な金額情報から出場に必要な運賃を受け取り、この運賃の受け取りに対応して前記乗車券媒体に記憶された券情報に含まれる金額情報を更新し、改札を許可する第３の改札処理を実行する第３の改札手段と、
前記第２及び第３の改札手段により更新された金額情報が所定金額以上のときこの金額情報を第１の通知形式で通知し、前記改札手段により更新された金額情報が所定金額未満のときこの金額情報を前記第１の通知形式と異なる第２の通知形式で通知する通知手段と、
を備えたことを特徴とする自動改札装置。
【請求項５】
前記通知手段は、金額情報が所定金額未満のとき金額情報のチャージを促すことを特徴とする請求項１、２、３、又は４に記載の自動改札装置。
【請求項６】
前記通知手段は、金額情報が初乗り運賃以上のときこの金額情報を第１の通知形式で通知し、金額情報が初乗り運賃未満のときこの金額情報を前記第１の通知形式と異なる第２の通知形式で通知することを特徴とする請求項１、２、３、又は４に記載の自動改札装置。
【請求項７】
乗車券媒体から券情報を読み取り、
読み取られた券情報に基づき改札処理を実行し、
前記乗車券媒体の券情報に含まれる利用可能な金額情報が所定金額以上のときこの金額情報を第１の通知形式で通知し、前記金額情報が所定金額未満のときこの金額情報を前記第１の通知形式と異なる第２の通知形式で通知する、
ことを特徴とする改札処理方法。
【請求項８】
乗車券媒体から券情報を読み取り、
読み取られた券情報に含まれる入場記録に基づき運賃を計算し、券情報に含まれる利用可能な金額情報から出場に必要な運賃を受け取り、この運賃の受け取りに対応して前記乗車券媒体に記憶された券情報に含まれる金額情報を更新し、改札を許可し、
更新された金額情報が所定金額以上のときこの金額情報を第１の通知形式で通知し、更新された金額情報が所定金額未満のときこの金額情報を前記第１の通知形式と異なる第２の通知形式で通知する、
ことを特徴とする改札処理方法。
【発明の詳細な説明】
【０００１】
【発明の属する技術分野】
この発明は、磁気券や無線カードなどの乗車券媒体に記憶された情報を読み取り、乗車券媒体から読み取られた情報に基づき改札処理を行なう自動改札装置及び改札処理方法に関する。
【０００２】
【従来の技術】
近年、改札処理の省力化を目的として、自動改札装置が導入されている。自動改札装置は、入場券、ＳＦ（Ｓｔｏｒｅｄ　ｆａｒｅ）カード、定期券、普通乗車券などの磁気券を受け取り、磁気券に記録された乗車情報を読み取り、入場又は出場の改札可否を判定し、磁気券を返却又は回収する。自動改札装置が、乗車情報の読み取り結果に基づき、運賃不足、期限切れ、区間外乗車などの理由から改札否と判定すると、ドアの開閉を制御して乗客を駅構内に入場させない、駅構内から出場させない、又は乗り換えを許可しないようにする。
【０００３】
さらに近年は、上記説明した磁気券を扱う磁気券対応の自動改札装置の他に、磁気券及び無線カードを扱う無線カード対応の自動改札装置の導入も進められている。無線カード対応の自動改札装置は、上記したような磁気券対応の自動改札装置の機能に加えて、無線カードに基づく改札処理を行なうことができる。つまり、無線カード対応の自動改札装置は、無線カードと交信し、無線カードから乗車情報を読み取り、入場又は出場の改札可否を判定する。
【０００４】
ここで、ＳＦカードによる改札処理、及び無線カードにチャージされた金額情報に基づく改札処理に着目して説明する。ＳＦカードにより改札処理を受ける場合、ＳＦカードから読み取られる入場記録に基づき運賃が計算され、ＳＦカードに記録された金額情報から出場に必要な運賃が差し引かれる。このとき、自動改札装置は、ＳＦカードから差し引く金額やＳＦカードの残額等を表示する。同様に、無線カードにチャージされた金額情報に基づく改札処理を受ける場合、無線カードから読み取られる入場記録に基づき運賃が計算され、無線カードにチャージされている金額情報から出場に必要な運賃が差し引かれる。このとき、自動改札装置は、無線カードから差し引いた金額や無線カードにチャージされている残額等を表示する。
【０００５】
【発明が解決しようとする課題】
しかし、上記した自動改札装置は、単にＳＦカードや無線カードの残額を表示するだけである。このため、ＳＦカードや無線カードの利用者は、カードの残額不足に気づかずに、これらカードを利用しようとして、自動改札装置により改札口で足止めされてしまうことがある。
【０００６】
特に、無線カードの場合、定期券の機能及びＳＦカードの機能を同時に持つことができ、これら機能を併用することができるため、無線カードの利用者は残額不足に気づかないことが多いという問題がある。定期券の機能及びＳＦカードの機能を持った無線カードを利用して、定期区間内で乗車し定期区間外で出場する場合、出場時に定期区間外の運賃が無線カードにチャージされている金額情報から差し引かれ、無線カードから差し引かれた金額や無線カードにチャージされている残額等が表示される。このため、入場の際に無線カードにチャージされている金額情報を知ることができず、出場の際に金額不足を起こし易いという問題がある。また、定期券の機能及びＳＦカードの機能を持った無線カードを利用して、定期区間外で乗車し定期区間内で出場する場合、入場時に初乗り運賃が無線カードにチャージされている金額情報から差し引かれ、無線カードから差し引かれた金額や無線カードにチャージされている残額等が表示される。出場時には無線カードにチャージされている残額等は表示されない。このため、次回、無線カードにチャージされている金額情報を利用して入場する際に、金額不足を起こし易いという問題がある。
【０００７】
この発明の目的は、上記したような事情に鑑み成されたものであって、金額情報を持つ乗車券媒体による改札処理のサービス向上を図ることが可能な自動改札装置及び改札処理方法を提供することにある。
【０００８】
【課題を解決するための手段】
上記課題を解決し目的を達成するために、この発明の自動改札装置及び改札処理方法は、以下のように構成されている。
【０００９】
（１）この発明の自動改札装置は、乗車券媒体から券情報を読み取る読取手段と、前記読取手段により読み取られた券情報に基づき改札処理を実行する改札手段と、前記乗車券媒体の券情報に含まれる利用可能な金額情報が所定金額以上のときこの金額情報を第１の通知形式で通知し、前記金額情報が所定金額未満のときこの金額情報を前記第１の通知形式と異なる第２の通知形式で通知する通知手段とを備えている。
【００１０】
（２）この発明の改札処理方法は、乗車券媒体から券情報を読み取り、読み取られた券情報に基づき改札処理を実行し、前記乗車券媒体の券情報に含まれる利用可能な金額情報が所定金額以上のときこの金額情報を第１の通知形式で通知し、前記金額情報が所定金額未満のときこの金額情報を前記第１の通知形式と異なる第２の通知形式で通知する。
【００１１】
【発明の実施の形態】
以下、この発明の実施の形態について図面を参照して説明する。
【００１２】
図１は、この発明の一例に係る自動改札装置の外観を示す斜視図であり、図２は、図１に示す自動改札装置の概略構成を示す機能ブロック図である。
【００１３】
この自動改札装置２は、通常、２台１組として設置され、両者の間に通行者が通行する通路が形成される。そして、この自動改札装置２は、磁気券及び無線カードの両方を処理できる。
【００１４】
図１に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口３が設けられ、他端部には、投入口３から投入された磁気券を返却する排出口４が設けられている。なお、投入口３には、必要に応じて開閉するシャッタが設けられている。　排出口４の前方には、通行者や駅員などに対して各種案内を行なうための案内表示部６が設けられている。
【００１５】
投入口３の前方には、アンテナ１６が設けられている。アンテナ１６は、たとえば、ループ状アンテナなどで構成されていて、通行者によりかざされる無線カードと無線通信を行なう。これにより、アンテナ１６は、無線カードから送信されるデータを受信したり、無線カードに対してデータを送信したりする。
【００１６】
自動改札装置２の側面の両端部には、通行者の通行を制御する開閉動作可能なドア７が設けられており、通行可否の判定結果に基づき、このドア７が開閉制御される。
【００１７】
さらに、自動改札装置２には、センサ取付体８が立設されている。センサ取付体８には、通行者を検知する複数の光学的なセンサ、すなわち、出口検知器９、１０、及び中央通過検知器１３が設けられている。また、自動改札装置２の本体にも、通行者を検知する複数の光学的なセンサ、すなわち、進入検知器１１、１２、及び中央通過検知器１３が設けられている。
【００１８】
出口検知器９は、投入口３の部分を通過する通行者を検知し、出口検知器１０は、案内表示部６の部分を通過する通行者を検知し、進入検知器１２は、排出口４の部分を通過する通行者を検知し、進入検知器１１は、アンテナ１６の部分を通過する通行者を検知する。中央通過検知器１３は、自動改札装置２の本体に一対、センサ取付体８に一対と、合計２対（４個）の検知器からなり、通路の中央部を通過する通行者を検知する。
【００１９】
センサ取付体８には、自動改札装置の動作状態（小児券の投入、無効券の投入や機器の異常など）を表示する表示灯１４が設けられている。
【００２０】
図２に示すように、自動改札装置２は、ＣＰＵ２００、メモリ２０２、乗車券受取機構２０３、乗車券搬送機構２０４、乗車券返却機構２０５、乗車券回収機構２０６、乗車券保留機構２０７、情報読取部２０８、情報記録部２１０、改札判定部２１２、通行検知部２１４、開閉制御部２１６、表示制御部２２０、表示灯駆動制御部２２４、無線通信制御部２２６、通信制御部２３０などを備えている。
【００２１】
ＣＰＵ２００は、各部を制御し、改札処理に関する一連の動作を制御する。メモリ２０２は、ＣＰＵ２００の動作制御プログラム及び運賃情報等を記憶したり、無線カード又は磁気券から読み取った乗車情報等を一時記憶したりする。乗車券受取機構２０３は、投入口３などで構成されており、一人の乗客により投入された一枚の磁気券を受け取る。或いは、乗車券受取機構２０３は、一人の乗客により投入された複数枚の磁気券を一括して受け取る。乗車券搬送機構２０４は、受け取られた磁気券を各部へ搬送する。乗車券返却機構２０５は、排出口４などで構成されており、受け取られた磁気券を返却する。乗車券回収機構２０６は、乗車券返却機構２０５により返却された磁気券が所定時間経過しても持ち去られない場合に取り忘れを検知し、返却した磁気券を回収する。乗車券保留機構２０７は、回収された磁気券を保留する。
【００２２】
情報読取部２０８は、磁気券から乗車情報を読み取る。情報記録部２１０は、磁気券に対して各種情報を磁気記録又は印刷記録する。改札判定部２１２は、磁気券又は無線カードから読み取られた情報に基づき通行の可否を判定する。通行検知部２１４は、検知器９〜１３からの検知出力を受け取り、利用者の通行状況を検知する。ドア開閉制御部２１６は、改札判定結果に基づき、ドア７の開閉を制御する。表示制御部２２０は、例えば改札判定結果に基づき表示部６の表示内容を制御する。表示灯駆動制御部２２４は、磁気券又は無線カードから読み取った情報に基づき表示灯１４の駆動を制御する。例えば、小児券の投入、無効券の投入、機器の異常などの動作状態に応じて表示灯１４の駆動を制御する。無線通信制御部２２６は、アンテナ１６により無線カードと交信し、無線カードに記録された情報を読み取ったり、無線カードに対して情報を記録したりする。
【００２３】
ここで、図３に示すフローチャートを参照して、ＳＦカードによる入場改札処理について説明する。ＳＦカードが投入口３に投入されると（ＳＴ１１）、乗車券受取機構２０３及び乗車券搬送機構２０４が乗車券を受け取るとともに搬送する。続いて、情報読取部２０８がＳＦカードに記録された情報を読み取り（ＳＴ１２）、改札判定部２１２が読み取られた情報に基づき改札処理を実行する（ＳＴ１３）。例えば、改札判定部２１２はＳＦカードから読み取られた金額情報から初乗り運賃を差し引き、新たな金額情報（残額）を生成する。情報記録部２１０は、生成された金額情報をＳＦカードに記録する。さらに、情報記録部２１０は、ＳＦカードに対して入場情報も記録する。入場情報としては、例えば入場駅を示す情報が記録される。出場改札処理において、この入場情報に基づき運賃が算出されることになる。
【００２４】
乗車券返却機構２０５は、上記処理を受けたＳＦカードを排出口４から返却する（ＳＴ１４）。このとき、返却されるＳＦカードに記録されている金額情報（残額）が所定金額以上、例えば初乗り運賃以上であれば（ＳＴ１５、ＹＥＳ）、差し引いた金額の表示に加え、第１の通知方法で残額が通知される（ＳＴ１６）。返却されるＳＦカードに記録されている金額情報（残額）が所定金額未満、例えば初乗り運賃未満であれば（ＳＴ１５、ＮＯ）、差し引いた金額の表示に加え、第２の通知方法で残額が通知され、さらには金額情報のチャージが促される（ＳＴ１７）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。
【００２５】
同じく図３に示すフローチャートを参照して、ＳＦカードによる出場改札処理について説明する。上記したように入場改札処理を受けたＳＦカードが投入口３に投入されると（ＳＴ１１）、乗車券受取機構２０３及び乗車券搬送機構２０４が乗車券を受け取るとともに搬送する。続いて、情報読取部２０８がＳＦカードに記録された情報を読み取り（ＳＴ１２）、改札判定部２１２が読み取られた情報に基づき改札処理を実行する（ＳＴ１３）。例えば、改札判定部２１２はＳＦカードから読み取られた金額情報から不足運賃を差し引き、新たな金額情報（残額）を生成する。情報記録部２１０は、生成された金額情報をＳＦカードに記録する。さらに、情報記録部２１０は、ＳＦカードに対して出場情報も記録する。出場情報としては、例えば出場駅を示す情報が記録される。次の入場改札処理において、この出場情報が記録されていないＳＦカードでは入場できない。
【００２６】
乗車券返却機構２０５は、上記処理を受けたＳＦカードを排出口４から返却する（ＳＴ１４）。このとき、返却されるＳＦカードに記録されている金額情報（残額）が所定金額以上、例えば初乗り運賃以上であれば（ＳＴ１５、ＹＥＳ）、差し引いた金額の表示に加え、第１の通知方法で残額が通知される（ＳＴ１６）。返却されるＳＦカードに記録されている金額情報（残額）が所定金額未満、例えば初乗り運賃未満であれば（ＳＴ１５、ＮＯ）、差し引いた金額の表示に加え、第２の通知方法で残額が通知され、さらには金額情報のチャージが促される（ＳＴ１７）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。
【００２７】
上記説明では、ＳＦカードによる入場改札時及び出場改札時の両方において、第１の通知方法及び第２の通知方法を使い分けるものとして説明したが、例えば、出場改札時だけ通知方法を使い分けるようにしてもよい。
【００２８】
続いて、図４に示すフローチャートを参照して、定期券の機能及びＳＦカードの機能を持った無線カードにより定期区間内から入場（乗車）する場合の改札処理について説明する。即ち、無線カードの定期券の機能で入場する場合の改札処理について説明する。定期券の機能及びＳＦカードの機能を持った無線カードは、定期乗車情報及び金額情報を記憶している。定期乗車情報は、有効乗車区間、有効乗車期限などの情報を含む。無線カードがかざされると、無線通信制御部２２６は、アンテナ１６を介して無線カードに記録された情報を読み取り（ＳＴ２１）、改札判定部２１２が読み取られた情報に基づき改札処理を実行する（ＳＴ２２）。例えば、改札判定部２１２は、無線カードから読み取られた定期乗車情報から定期区間内の入場であることを確認すると入場許可判定を下す。さらに、無線通信制御部２２６は、アンテナ１６を介して無線カードに対して入場情報も記録する。このとき、無線カードに記録されている金額情報（残額）が所定金額以上、例えば初乗り運賃以上であれば（ＳＴ２３、ＹＥＳ）、第１の通知方法で残額が通知される（ＳＴ２４）。無線カードに記録されている金額情報（残額）が所定金額未満、例えば初乗り運賃未満であれば（ＳＴ２３、ＮＯ）、第２の通知方法で残額が通知され、さらには金額情報のチャージが促される（ＳＴ２５）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。第１の通知方法と第２の通知方法の切替は、例えば表示制御部２２０により制御される。
【００２９】
同じく図４に示すフローチャートを参照して、定期券の機能及びＳＦカードの機能を持った無線カードにより定期区間外で出場する場合の改札処理について説明する。即ち、無線カードのＳＦカードの機能で出場する場合の改札処理について説明する。無線カードがかざされると、無線通信制御部２２６は、アンテナ１６を介して無線カードに記録された情報を読み取り（ＳＴ２１）、改札判定部２１２が読み取られた情報に基づき改札処理を実行する（ＳＴ２２）。例えば、改札判定部２１２は、無線カードから読み取られた定期乗車情報から定期区間外の出場であることを確認すると、無線カードから読み取られた金額情報から不足運賃を差し引き、新たな金額情報（残額）を生成する。無線通信制御部２２６は、アンテナ１６を介して生成された金額情報を無線カードに記録する。さらに、無線通信制御部２２６は、無線カードに対して出場情報も記録する。このとき、無線カードに記録されている金額情報（残額）が所定金額以上、例えば初乗り運賃以上であれば（ＳＴ２３、ＹＥＳ）、第１の通知方法で残額が通知される（ＳＴ２４）。無線カードに記録されている金額情報（残額）が所定金額未満、例えば初乗り運賃未満であれば（ＳＴ２３、ＮＯ）、第２の通知方法で残額が通知され、さらには金額情報のチャージが促される（ＳＴ２５）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。
【００３０】
同じく図４に示すフローチャートを参照して、定期券の機能及びＳＦカードの機能を持った無線カードにより定期区間外から入場（乗車）する場合の改札処理について説明する。即ち、無線カードのＳＦカードの機能で入場する場合の改札処理について説明する。無線カードがかざされると、無線通信制御部２２６は、アンテナ１６を介して無線カードに記録された情報を読み取り（ＳＴ２１）、改札判定部２１２が読み取られた情報に基づき改札処理を実行する（ＳＴ２２）。例えば、改札判定部２１２は、無線カードから読み取られた定期乗車情報から定期区間外の入場であることを確認すると、無線カードから読み取られた金額情報から初乗り運賃を差し引き、新たな金額情報（残額）を生成する。無線通信制御部２２６は、アンテナ１６を介して生成された金額情報を無線カードに記録する。さらに、無線通信制御部２２６は、無線カードに対して入場情報も記録する。このとき、無線カードに記録されている金額情報（残額）が所定金額以上、例えば初乗り運賃以上であれば（ＳＴ２３、ＹＥＳ）、第１の通知方法で残額が通知される（ＳＴ２４）。無線カードに記録されている金額情報（残額）が所定金額未満、例えば初乗り運賃未満であれば（ＳＴ２３、ＮＯ）、第２の通知方法で残額が通知され、さらには金額情報のチャージが促される（ＳＴ２５）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。
【００３１】
続いて、図４に示すフローチャートを参照して、定期券の機能及びＳＦカードの機能を持った無線カードにより定期区間内で出場する場合の改札処理について説明する。即ち、無線カードの定期券の機能で出場する場合の改札処理について説明する。無線カードがかざされると、無線通信制御部２２６は、アンテナ１６を介して無線カードに記録された情報を読み取り（ＳＴ２１）、改札判定部２１２が読み取られた情報に基づき改札処理を実行する（ＳＴ２２）。例えば、改札判定部２１２は、無線カードから読み取られた定期乗車情報から定期区間内の出場であることを確認すると、無線カードから読み取られた金額情報から不足運賃を差し引き、新たな金額情報（残額）を生成する。無線通信制御部２２６は、アンテナ１６を介して生成された金額情報を無線カードに記録する。さらに、無線通信制御部２２６は、無線カードに対して出場情報も記録する。このとき、無線カードに記録されている金額情報（残額）が所定金額以上、例えば初乗り運賃以上であれば（ＳＴ２３、ＹＥＳ）、第１の通知方法で残額が通知される（ＳＴ２４）。無線カードに記録されている金額情報（残額）が所定金額未満、例えば初乗り運賃未満であれば（ＳＴ２３、ＮＯ）、第２の通知方法で残額が通知され、さらには金額情報のチャージが促される（ＳＴ２５）。第２の通知方法は、第１の通知方法よりも目立つ通知である。例えば、表示部６の表示色、表示状態（反転表示や点滅表示）、表示文字の違いにより、第１の通知方法よりも目立つように通知される。さらに、第２の通知方法は、警告音等を伴い、金額情報のチャージを促す。
【００３２】
上記説明では、無線カードによる入場改札時及び出場改札時の両方において、第１の通知方法及び第２の通知方法を使い分けるものとして説明したが、例えば、出場改札時だけ通知方法を使い分けるようにしてもよい。また、無線カードの定期券の機能を利用して入場及び出場する場合でも第１の通知方法及び第２の通知方法を使い分けて残額や金額チャージの必要性を通知するようにしてもよい。同様に、無線カードのＳＦ機能を利用して入場及び出場する場合でも第１の通知方法及び第２の通知方法を使い分けて残額や金額チャージの必要性を通知する。
【００３３】
上記したようにように、無線カードによる改札処理において、無線カードにチャージされている金額情報（残額）が目立つように通知されるので、無線カード自体に金額情報（残額）が印字されていなくても、無線カードの金額不足にいち早く気づくことができる。結果、事前に金額チャージすることで、改札処理による足止めを回避することができる。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３５】
【発明の効果】
この発明によれば、金額情報を持つ乗車券媒体による改札処理のサービス向上を図ることが可能な自動改札装置及び改札処理方法を提供できる。
【図面の簡単な説明】
【図１】この発明の一例に係る自動改札装置の外観を示す斜視図である。
【図２】図１に示す自動改札装置の概略構成を示す機能ブロック図である。
【図３】ＳＦカードによる改札処理を説明するフローチャートである。
【図４】無線カードによる改札処理を説明するフローチャートである。
【符号の説明】
２…自動改札装置、６…表示部、１６…アンテナ、２００…ＣＰＵ、２０２…メモリ、２０８…情報読取部、２１０…情報記録部、２１２…改札判定部、２２０…表示制御部、２２６…無線通信制御部
【図１】
2004126777.tif 000003
【図２】
2004126777.tif 000004
【図３】
2004126777.tif 000005
【図４】
2004126777.tif 000006